(57)【特許請求の範囲】
【請求項１】
需要家施設における資源の消費量に関する消費情報を取得する情報取得部と、
前記消費情報に基づいて前記需要家施設における対象機器の動作状況を判定する判定部と、
前記判定部の判定結果、及び前記判定結果に対する評価の要求であって、前記判定結果が正解であると評価するための第１選択肢と、前記判定結果が不正解であると評価するための第２選択肢とが含まれている要求を通知する通知部と、
前記要求に対する評価結果を取得する評価取得部と、
前記評価結果に基づいて、前記判定結果が正解及び不正解の少なくとも一方であるときの前記要求と同じ要求が、前記通知部から通知されないように前記通知部を制御する制御部とを備えている
ことを特徴とする判定システム。
【請求項２】
前記要求には、前記判定結果が不明であると評価するための第３選択肢が、更に含まれている
ことを特徴とする請求項１記載の判定システム。
【請求項３】
前記要求には、前記通知部の通知のタイミングに対する評価を行うための選択肢が、更に含まれている
ことを特徴とする請求項１又は請求項２記載の判定システム。
【請求項４】
前記制御部は、前記判定結果が不正解であるとの前記評価結果が取得された場合、前記不正解であると評価されたときの前記判定結果及び前記要求と同じ判定結果及び要求が、前記通知部から通知されないように前記通知部を制御する
ことを特徴とする請求項１ないし請求項３のいずれか１項に記載の判定システム。
【請求項５】
前記制御部は、同一の前記判定結果について不正解であるとの前記評価結果が所定回数連続して取得された場合、前記所定回数連続して前記不正解であると評価されたときの前記判定結果及び前記要求と同じ判定結果及び要求が、前記通知部から通知されないように前記通知部を制御する
ことを特徴とする請求項１ないし請求項３のいずれか１項に記載の判定システム。
【請求項６】
前記制御部は、同一の前記判定結果について不正解であるとの前記評価結果が取得される頻度が規定値以上の場合、前記規定値以上の頻度で前記不正解であると評価されたときの前記判定結果及び前記要求と同じ判定結果及び要求が、前記通知部から通知されないように前記通知部を制御する
ことを特徴とする請求項１ないし請求項３のいずれか１項に記載の判定システム。
【請求項７】
前記制御部は、前記判定結果が正解であるとの前記評価結果が取得された場合、前記正解であると評価されたときの前記要求と同じ要求が、前記通知部から通知されないように前記通知部を制御する
ことを特徴とする請求項１ないし請求項６のいずれか１項に記載の判定システム。
【請求項８】
前記制御部は、同一の前記判定結果について正解であるとの前記評価結果が所定回数連続して取得された場合、前記所定回数連続して前記正解であると評価されたときの前記要求と同じ要求が、前記通知部から通知されないように前記通知部を制御する
ことを特徴とする請求項１ないし請求項６のいずれか１項に記載の判定システム。
【請求項９】
前記制御部は、同一の前記判定結果について正解であるとの前記評価結果が取得される頻度が規定値以上の場合、前記規定値以上の頻度で前記正解であると評価されたときの前記要求と同じ要求が、前記通知部から通知されないように前記通知部を制御する
ことを特徴とする請求項１ないし請求項６のいずれか１項に記載の判定システム。
【請求項１０】
前記評価取得部は、前記判定結果と前記評価結果との少なくとも一方に関連する属性情報を取得するように構成され、
前記制御部は、前記評価結果と前記属性情報とに基づいて、前記判定部と前記通知部との少なくとも一方を制御する
ことを特徴とする請求項１ないし請求項９のいずれか１項に記載の判定システム。
【請求項１１】
前記要求には、前記需要家施設に関連する情報が含まれている
ことを特徴とする請求項１ないし請求項１０のいずれか１項に記載の判定システム。
【請求項１２】
需要家施設における資源の消費量に関する消費情報を取得させる処理と、
前記消費情報に基づいて前記需要家施設における対象機器の動作状況を判定させる処理と、
前記動作状況の判定結果、及び前記判定結果に対する評価の要求であって、前記判定結果が正解であると評価するための第１選択肢と、前記判定結果が不正解であると評価するための第２選択肢とが含まれている要求を通知させる処理と、
前記要求に対する評価結果を取得させる処理と、
前記評価結果に基づいて、前記判定結果が正解及び不正解の少なくとも一方であるときの前記要求と同じ要求が通知されないように動作させる処理とを
コンピュータに行わせる
ことを特徴とする判定方法。
【請求項１３】
請求項１２記載の判定方法を、前記コンピュータに実行させる
ための判定プログラム。
【発明の詳細な説明】
【技術分野】
【０００１】
本発明は、一般に、判定システム、判定方法、及び判定プログラムに関する。より詳細には、需要家施設における資源の消費量に関する消費情報を利用する判定システム、判定方法、及び判定プログラムに関する。
【背景技術】
【０００２】
従来、需要家宅（需要家施設）の電力使用量を示す使用量データを、需要家施設内の屋内表示装置に表示する表示システムが提案されている（特許文献１参照）。
【０００３】
特許文献１記載の表示システムは、電力計量器から送信される電力使用量（消費電力量）に関するデータを、パーソナルコンピュータ又はタブレット端末等の屋内表示装置に表示するように構成されている。ここで、特許文献１には、消費電力量を、例えばエアーコンディショナ、電気温水器、電子レンジ等の家電製品毎に測定して、屋内表示装置に表示することが記載されている。また、特許文献１には、消費電力量の推移を、屋内表示装置に表示することが記載されている。つまり、屋内表示装置は、需要家施設内において、電力の使用状況をリアルタイムに、かつ詳細に把握できるように表示し、需要家の節電意識を喚起する表示装置である。
【先行技術文献】
【特許文献】
【０００４】
【特許文献１】特開２０１４−１３００１５号公報
【発明の概要】
【発明が解決しようとする課題】
【０００５】
しかし、上述したような表示システムでは、需要家施設における資源（電力）の消費量に関する消費情報を節電意識の向上のみを目的として表示装置に表示しており、消費情報を、より有効に活用することが望まれる。
【０００６】
本発明は、上述の事由に鑑みてなされ、需要家施設における資源の消費量に関する消費情報を、より有効に活用できる判定システム、判定方法、及び判定プログラムを提供することを目的とする。
【課題を解決するための手段】
【０００７】
本発明の一態様に係る判定システムは、情報取得部と、判定部と、通知部と、評価取得部と、制御部とを備えている。前記情報取得部は、需要家施設における資源の消費量に関する消費情報を取得するように構成されている。前記判定部は、前記消費情報に基づいて前記需要家施設における対象機器の動作状況を判定するように構成されている。前記通知部は、前記判定部の判定結果、及び前記判定結果に対する評価の要求であって、前記判定結果が正解であると評価するための第１選択肢と、前記判定結果が不正解であると評価するための第２選択肢とが含まれている要求を通知するように構成されている。前記評価取得部は、前記要求に対する評価結果を取得するように構成されている。前記制御部は、前記評価結果に基づいて、前記判定結果が正解及び不正解の少なくとも一方であるときの前記要求と同じ要求が、前記通知部から通知されないように前記通知部を制御するように構成されている。
【０００８】
本発明の一態様に係る判定方法は、需要家施設における資源の消費量に関する消費情報を取得させる処理と、前記消費情報に基づいて前記需要家施設における対象機器の動作状況を判定させる処理と、前記動作状況の判定結果、及び前記判定結果に対する評価の要求であって、前記判定結果が正解であると評価するための第１選択肢と、前記判定結果が不正解であると評価するための第２選択肢とが含まれている要求を通知させる処理と、前記要求に対する評価結果を取得させる処理と、前記評価結果に基づいて、前記判定結果が正解及び不正解の少なくとも一方であるときの前記要求と同じ要求が通知されないように動作させる処理とをコンピュータに行わせる。
【０００９】
本発明の一態様に係る判定プログラムは、前記判定方法を、前記コンピュータに実行させる。
【発明の効果】
【００１３】
本発明によれば、需要家施設における資源の消費量に関する消費情報を、より有効に活用できる。
【図面の簡単な説明】
【００１４】
【図１】図１は、本発明の一実施形態の判定システムの全体構成を示す構成図である。
【図２】図２は、同上の判定システムに用いられる端末装置の構成図である。
【図３】図３Ａは、上記端末装置の表示部に表示される判定情報の一例を示す説明図である。図３Ｂは、上記端末装置の表示部に表示されるアンケート情報の一例を示す説明図である。
【発明を実施するための形態】
【００１５】
以下、本発明の一実施形態の判定システム１００について、図１〜図３Ｂを参照しながら説明する。
【００１６】
判定システム１００は、需要家施設（facility）Ｈ１における対象機器５０の動作状況を判定するシステムである。需要家施設Ｈ１とは、例えば電力等の資源を使用する需要家の施設を意味する。ただし、需要家施設Ｈ１は、電力会社等の電気事業者から電力の供給を受ける施設だけでなく、太陽光発電設備等の自家発電設備から電力の供給を受ける施設も含む。また、対象機器５０の動作状況とは、例えば対象機器５０が動作中（運転中）か否か等の対象機器５０の動作を意味する。また、需要家とは、需要家施設Ｈ１を使用する人を含み、需要家施設Ｈ１が戸建住宅である場合、需要家施設Ｈ１の住人を意味する。需要家施設Ｈ１の住人が複数である場合は、複数の住人のうち一人を指すこともあり、二人以上（全員も含む）を指すこともある。なお、資源は、電力に限らず、需要家施設Ｈ１で消費されるガス、水道、熱等も含む。以下では、一例として資源が電力である場合について説明する。また、以下では、戸建住宅を需要家施設Ｈ１の一例として説明する。また、以下では、説明の便宜上、需要家施設Ｈ１の需要家を、需要家施設Ｈ１の住人と称することもある。
【００１７】
対象機器５０は、需要家施設Ｈ１に設置される種々の機器である。例えば、対象機器５０は、照明器具、エアコン（エアーコンディショナ）、洗濯機、食器洗浄機、調理家電等の電気機器である。つまり、対象機器５０とは、需要家施設Ｈ１における資源（電力）を消費する機器を意味する。
【００１８】
判定システム１００は、図１に示すように、情報取得部１と、判定部２と、通知部３と、評価取得部４と、記録部５と、制御部６とを備えている。本実施形態では、判定システム１００をサーバ装置１０で実現している。つまり、サーバ装置１０は、情報取得部１と、判定部２と、通知部３と、評価取得部４と、記録部５と、制御部６とを備えている。サーバ装置１０は、後述する端末装置２０にネットワークＮ１を介して接続されている。ネットワークＮ１は、例えばインターネットである。サーバ装置１０は、ＣＰＵ（Central Processing Unit）及びメモリを有するコンピュータを主構成としており、ＣＰＵがメモリに格納されるプログラムを実行することで、コンピュータを制御部６として機能させる。本実施形態では、プログラムは、コンピュータのメモリに予め記録されているが、インターネット等の電気通信回線を通じて提供されてもよいし、メモリカード等の記録媒体に記録されて提供されてもよい。
【００１９】
情報取得部１は、需要家施設Ｈ１における資源（電力）の消費量に関する消費情報を取得するように構成されている。本実施形態では、情報取得部１は、需要家施設Ｈ１に設置された計測装置３０から消費情報を取得する。
【００２０】
計測装置３０は、サーバ装置１０にネットワークＮ１を介して接続されている。また、計測装置３０は、需要家施設Ｈ１における資源の消費量を計測し、かつ、この消費量に関する消費情報をサーバ装置１０へ送信する機能を有している。計測装置３０は、対象機器５０の消費電力と消費電力量との少なくとも一方を消費量として計測する。例えば、計測装置３０は、需要家施設Ｈ１における複数の分岐回路の各々について、消費電力と消費電力量との少なくとも一方を消費量として計測する。
【００２１】
詳しく説明すると、計測装置３０は、例えば複数の電流センサを備える。計測装置３０は、これら複数の電流センサが、需要家施設Ｈ１における分電盤の複数の分岐ブレーカに対して設けられ、複数の分岐回路に流れる電流の値（電流値）に基づいて対象機器５０の消費電力と消費電力量との少なくとも一方を消費量として計測する。ここで、複数の分岐回路とは、複数の分岐ブレーカにて幹線から分岐された複数の回路を意味する。各分岐回路は、各分岐ブレーカに接続される配線、照明器具又は調理家電等の機器、コンセント（アウトレット）、壁スイッチ等を含む。なお、消費量は、瞬時電力を表す消費電力であってもよいし、一定時間における電力の消費量（使用量）を表す消費電力量であってもよい。以下では、一例として消費量が、消費電力を一定時間（例えば１分間）積算した消費電力量である場合について説明する。
【００２２】
判定部２は、情報取得部１で取得された消費情報に基づいて、対象機器５０の動作状況を判定するように構成されている。例えば、判定部２は、所定のアルゴリズムに従って対象機器５０の動作状況を判定する。判定部２で判定可能な対象機器５０の動作状況としては、様々な項目があるが、本実施形態では、判定部２が判定する対象機器５０の動作状況として、対象機器５０が動作中か否か、対象機器５０の動作の開始及び終了等の動作を例示する。
【００２３】
判定部２は、対象機器５０の消費電力量が所定の閾値以上であれば、対象機器５０が動作中であると判定する。一方、判定部２は、対象機器５０の消費電力量が所定の閾値未満であれば、対象機器５０が停止中であると判定する。また、判定部２は、対象機器５０の消費電力量が略ゼロから所定の閾値以上に増加した場合、対象機器５０が動作を開始したと判定する。一方、判定部２は、対象機器５０の消費電力量が所定の閾値以上から略ゼロに減少した場合、対象機器５０が動作を終了したと判定する。本実施形態では、計測装置３０が、需要家施設Ｈ１における複数の分岐回路の各々について消費電力量を消費量として計測しているため、判定部２は、情報取得部１で取得された消費情報（消費電力量）に基づいて対象機器５０の動作状況を推定している。
【００２４】
通知部３は、端末装置２０の後述する受信部７（図２参照）にネットワークＮ１を介して接続されている。通知部３は、判定部２の判定結果、及びこの判定結果に対する評価の要求（評価要求）を端末装置２０へ通知するように構成されている。本実施形態では、通知部３は、判定部２により対象機器５０の動作状況が判定されたとき、判定部２の判定結果及び評価要求を端末装置２０へ通知する。また、本実施形態では、通知部３は、判定結果と評価要求とを同時に通知する。
【００２５】
判定結果は、例えば、洗濯機等の対象機器５０の動作の終了を通知する情報である。例えば、判定結果は、「洗濯が終了したようです」というテキスト情報である。評価要求は、例えば、判定部２の判定結果を需要家施設Ｈ１の住人に評価してもらうアンケートであって、対象機器５０の動作状況（例えば洗濯機の動作の終了）の判定が正解であるか否かを住人に判断してもらうための情報である。例えば、評価要求は、「正解」及び「間違い」というテキスト情報である。
【００２６】
サーバ装置１０では、判定部２が情報取得部１で取得された消費情報に基づいて対象機器５０の動作状況を判定するので、需要家施設Ｈ１における資源の消費量に関する消費情報を、特許文献１記載の表示システムよりも有効に活用できる。
【００２７】
ここにおいて、サーバ装置１０では、通知部３が対象機器５０の動作状況の全てを端末装置２０へ通知する必要はないので、判定部２は、対象機器５０の動作状況のうち、通知が必要な特定の動作状況についてのみ判定するように構成されている。例えば、判定部２は、対象機器５０が動作を終了したときに、特定の動作状況が発生したと判定する。
【００２８】
評価取得部４は、端末装置２０の後述する送信部１１（図２参照）にネットワークＮ１を介して接続されている。評価取得部４は、送信部１１から送信される評価結果を取得するように構成されている。また、評価取得部４は、取得した評価結果を記録部５へ出力するように構成されている。
【００２９】
記録部５は、評価取得部４で取得された評価結果を記録するように構成されている。また、記録部５は、評価取得部４で取得された評価結果を制御部６へ出力するように構成されている。記録部５には、対象機器５０に関する情報が記録（登録）されている。対象機器５０に関する情報は、需要家施設Ｈ１の住人により記録部５に登録される。なお、対象機器５０として登録される機器は、１台であってもよく、複数台であってもよい。勿論、同一種類の複数台の機器が対象機器５０として登録されてもよいし、異なる種類の複数台の機器が対象機器５０として登録されてもよい。
【００３０】
制御部６は、判定部２の判定結果に基づき、判定結果に対応付けられたテキスト情報（例えば「洗濯が終了したようです」というテキスト情報）を含む判定情報Ｇ１（図３Ａ参照）を生成するように構成されている。つまり、本実施形態では、端末装置２０の後述する表示部８（図２参照）に表示される情報が、サーバ装置１０で生成される。また、制御部６は、生成した判定情報Ｇ１を判定部２の判定結果として通知部３から端末装置２０へ通知させるように構成されている。これにより、通知部３は、判定部２の判定結果を端末装置２０へ通知することができる。ここで、判定情報Ｇ１とは、判定部２の判定結果に基づく情報であって、需要家施設Ｈ１の住人に通知すべきメッセージを意味する。
【００３１】
また、制御部６は、判定部２の判定結果に基づき、判定結果に対応付けられたアンケートのテキスト情報（例えば、「正解」及び「間違い」というテキスト情報）を含むアンケート情報Ｇ２（図３Ｂ参照）を生成するように構成されている。また、制御部６は、生成したアンケート情報Ｇ２を評価要求として通知部３から端末装置２０へ通知させるように構成されている。これにより、通知部３は、評価要求を端末装置２０へ通知することができる。
【００３２】
本実施形態では、図３Ｂに示すように、評価要求（アンケート情報Ｇ２）に、判定結果が正解であると評価するための第１選択肢Ａ１と、判定結果が不正解であると評価するための第２選択肢Ａ２とが含まれている。第１選択肢Ａ１には、例えば「１．正解」というテキスト情報が含まれる。第２選択肢Ａ２には、例えば「３．間違い」というテキスト情報が含まれる。端末装置２０の所有者（例えば需要家施設Ｈ１の住人）は、例えば洗濯機の動作が終了し、洗濯機が停止状態であることを確認した後に、端末装置２０の表示部８に「洗濯が終了したようです」という情報が表示された場合、第１選択肢Ａ１を選択する。一方、端末装置２０の所有者は、例えば洗濯機を使用していない（洗濯していない）にも関わらず、端末装置２０の表示部８に「洗濯が終了したようです」という情報が表示された場合に、第２選択肢Ａ２を選択する。ここで、端末装置２０は、需要家施設Ｈ１内であっても需要家施設Ｈ１外であってもよい。つまり、需要家施設Ｈ１の住人は、需要家施設Ｈ１内にいても需要家施設Ｈ１外にいてもよい。
【００３３】
また、評価要求には、図３Ｂに示すように、判定結果が不明であると評価するための第３選択肢Ａ３が更に含まれている。第３選択肢Ａ３には、例えば「４．不明」というテキスト情報が含まれる。ここで「判定結果が不明である」とは、判定部２の判定結果が正解でも不正解でもない場合であって、例えば需要家施設Ｈ１の住人にとって判断がつかない（わからない）場合を意味する。つまり、端末装置２０の所有者は、例えば洗濯機の動作が終了し、洗濯機が停止状態であることが確認できないときに、端末装置２０の表示部８に「洗濯が終了したようです」という情報が表示された場合、第３選択肢Ａ３を選択する。
【００３４】
さらに、評価要求には、図３Ｂに示すように、通知部３の通知のタイミングに対する評価の選択肢（第４選択肢）Ａ４が更に含まれている。第４選択肢Ａ４には、例えば「２．タイミングが遅い」というテキスト情報が含まれる。端末装置２０の所有者は、例えば洗濯機の動作が終了し、洗濯機が停止状態であることを確認してから所定時間（例えば３０分）が経過した後に、端末装置２０の表示部８に「洗濯が終了したようです」という情報が表示された場合、第４選択肢Ａ４を選択する。
【００３５】
制御部６は、記録部５からの評価結果に基づいて通知部３を制御するように構成されている。本実施形態では、制御部６は、判定結果が不正解であるとの評価結果が評価取得部４で取得された場合、不正解であると評価されたときの判定結果及び評価要求と同じ判定結果及び要求が、通知部３から通知されないように通知部３を制御する。つまり、制御部６は、判定部２の判定結果を通知部３から通知させた後に、端末装置２０からの評価結果が不正解であるとき、判定部２が再び同じ判定を行った場合に、同じ判定結果を通知部３から端末装置２０へ通知させない。要するに、制御部６は、判定部２の判定結果が不正解であれば、この判定結果を次回以降通知部３から通知させないように通知部３を制御する。これにより、判定システム１００では、判定部２が一度誤った判定（判定結果）を再び行った場合でも、制御部６は、再び誤った判定結果を通知部３から通知させないので、対象機器５０の動作状況を誤って通知することを抑制できる。その結果、判定システム１００では、対象機器５０の動作状況の判定精度を向上させることが可能となり、このシステムの信頼性を向上させることが可能になる。
【００３６】
また、制御部６は、判定結果が正解であるとの評価結果が評価取得部４で取得された場合、正解であると評価されたときの評価要求と同じ評価要求が、通知部３から通知されないように通知部３を制御する。つまり、制御部６は、判定部２の判定結果及び評価要求を通知部３から通知させた後に、端末装置２０からの評価結果が正解であるとき、判定部２が再び同じ判定を行った場合に、同じ評価要求を通知部３から端末装置２０へ通知させない。要するに、制御部６は、判定部２の判定結果が正解であれば、判定結果のみを次回以降通知部３から通知させるように通知部３を制御する。これにより、判定システム１００では、判定部２が一度正しかった判定（判定結果）を再び行った場合、制御部６は、同じ評価要求を通知部３から通知させないので、例えば需要家施設Ｈ１の住人に対して、同じアンケートの回答を要求することを抑制できる。その結果、判定システム１００では、何度も同じアンケートの回答を要求する場合に比べて、住人にアンケートの回答を行ってもらい易くなる。
【００３７】
本実施形態に係る判定方法は、消費情報を取得させる処理と、対象機器５０の動作状況を判定させる処理と、判定結果及び評価要求を通知させる処理と、評価結果を取得させる処理と、評価結果に基づいて動作させる処理とをコンピュータに行わせる。このような判定方法は、本実施形態のようにコンピュータを主構成とするサーバ装置１０（つまり、判定システム１００）において、ＣＰＵがメモリに格納されているプログラムを実行することによって実現される。
【００３８】
上述した判定システム１００は、上述の判定方法という手段に限らず、下記の判定プログラムという手段によっても具現化することができる。下記の手段によって判定システム１００が具現化される場合でも、上述した種々の構成、および後述する変形例を適宜組み合わせて適用可能である。
【００３９】
本実施形態に係る判定プログラムは、上述の判定方法を、コンピュータに実行させるためのプログラムである。例えばサーバ装置１０のコンピュータは、上述の判定プログラムを実行することによって判定システム１００を実現することができる。
【００４０】
次に、端末装置２０について、図２に基づいて説明する。
【００４１】
端末装置２０は、判定システム１００に用いられる。端末装置２０は、サーバ装置１０にネットワークＮ１を介して接続されている。また、端末装置２０は、サーバ装置１０からの判定結果及び評価要求を、表示部８に表示させるように構成されている。
【００４２】
端末装置２０は、例えばタッチパネルディスプレイを備えるスマートフォンである。端末装置２０は、受信部７と、表示部８と、入力部９と、送信部１１と、制御部１２とを備えている。端末装置２０は、ＣＰＵ及びメモリを有するコンピュータを主構成としており、ＣＰＵがメモリに格納されるプログラムを実行することで、コンピュータを制御部１２として機能させる。本実施形態では、プログラムは、インターネット等の電気通信回線を通じて提供される。つまり、端末装置２０は、専用のソフトウェア（アプリケーションソフトウェア）をインストールし、このアプリケーションソフトウェアを起動することで、制御部１２としての機能を実現する。なお、プログラムは、インターネット等の電気通信回線を通じて提供されるが、メモリカード等の記録媒体に記録されて提供されてもよいし、コンピュータのメモリに予め記録されていてもよい。
【００４３】
受信部７は、サーバ装置１０の通知部３にネットワークＮ１を介して接続されている。受信部７は、通知部３からの判定結果及び評価要求を受信するように構成されている。表示部８は、受信部７で受信された判定結果及び評価要求を表示するように構成されている。入力部９は、端末装置２０の所有者（本実施形態では、需要家施設Ｈ１の住人）の操作を受け付けるように構成されている。また、入力部９は、表示部８に表示された評価要求に対して、需要家施設Ｈ１の住人による評価結果の入力を受け付けるように構成されている。本実施形態では、表示部８と入力部９とが、タッチパネルディスプレイを構成している。
【００４４】
ここで、受信部７が判定結果及び評価要求を受信するトリガは、例えばサーバ装置１０からのプッシュ通知であるが、これに限らず、例えば端末装置２０の入力部９に対する操作であってもよい。なお、サーバ装置１０からのプッシュ通知は、端末装置２０においてオン（有効）、オフ（無効）が切り替え可能であることが望ましい。
【００４５】
送信部１１は、サーバ装置１０の評価取得部４にネットワークＮ１を介して接続されている。送信部１１は、入力部９にて入力された評価結果を評価取得部４へ送信するように構成されている。本実施形態では、端末装置２０がスマートフォンであるから、送信部１１及び受信部７は、通信事業者が提供する携帯電話網（キャリア網）を介してネットワークＮ１に接続されている。携帯電話網は、例えば３Ｇ（第３世代）回線又はＬＴＥ（Long Term Evolution）回線等である。なお、送信部１１及び受信部７は、無線ＬＡＮ（Local Area Network）を介してネットワークＮ１に接続されてもよい。
【００４６】
制御部１２は、受信部７、表示部８、入力部９及び送信部１１を制御するように構成されている。制御部１２は、受信部７で判定結果及び評価要求が受信されたとき、これら判定結果及び評価要求を表示部８に表示させる。本実施形態では、制御部１２は、受信部７で判定結果及び評価要求が受信されたとき、まず、図３Ａに示すように、判定情報Ｇ１を表示部８の画面に表示させる。次に、制御部１２は、表示部８の画面に判定情報Ｇ１を表示させた状態で入力部９に所定の操作（例えばタップ操作）が入力されたとき、図３Ｂに示すように、アンケート情報Ｇ２を表示部８の画面に表示させる。つまり、表示部８には、対象機器５０の動作状況（例えば、「洗濯が終了したようです」というメッセージ）が表示され、入力部９に上記所定の操作が入力された後に、判定部２の判定結果を需要家施設Ｈ１の住人に評価してもらうアンケートが表示される。
【００４７】
制御部１２は、表示部８に表示されたアンケート情報Ｇ２に対して、需要家施設Ｈ１の住人が入力部９にて評価結果を入力したとき（つまり複数の選択肢Ａ１〜Ａ４のうち１つの選択肢を選択したとき）、この評価結果を送信部１１からサーバ装置１０へ送信させる。
【００４８】
上述したような端末装置２０は、端末装置２０の所有者である需要家施設Ｈ１の住人に対して、需要家施設Ｈ１における対象機器５０の動作状況を知らせることができる。よって、需要家施設Ｈ１の住人は、表示部８に表示された情報（判定情報Ｇ１）を見ることで、視覚的に、需要家施設Ｈ１における対象機器５０の動作状況を確認することができる。また、端末装置２０は、需要家施設Ｈ１の住人に対して、判定部２の判定結果を評価してもらうことができる（アンケートの回答を要求できる）。よって、表示部８に表示された情報（アンケート情報Ｇ２）に対して、需要家施設Ｈ１の住人が判定結果の評価を行うことで、サーバ装置１０は、判定部２の判定結果が正解であるか否かを判定することができる。これにより、サーバ装置１０では、誤った判定結果を再び通知部３から通知したり、一度誤った判定を再び判定部２が行ったりするのを抑制可能となる。
【００４９】
本実施形態に係る制御方法は、端末装置２０に用いられる。この制御方法は、受信部７に通知部３からの判定結果及び評価要求を受信させる処理と、表示部８に判定結果及び評価要求を表示させる処理とを有する。また、上述の制御方法は、例えば需要家施設Ｈ１の住人による評価結果の入力を受け付ける処理と、送信部１１に評価結果を評価取得部４へ送信させる処理とを有する。このような制御方法は、本実施形態のようにコンピュータを主構成とする端末装置２０において、ＣＰＵがメモリに格納されているプログラムを実行することによって実現される。
【００５０】
上述した端末装置２０は、上述の制御方法という手段に限らず、下記の制御プログラムという手段によっても具現化することができる。下記の手段によって端末装置２０が具現化される場合でも、上述した種々の構成、および後述する変形例を適宜組み合わせて適用可能である。
【００５１】
本実施形態に係る制御プログラムは、上述の制御方法を、コンピュータに実行させるためのプログラムである。端末装置２０のコンピュータは、上述の制御プログラムを実行することで制御部１２として機能し、表示部８に判定結果及び評価要求を表示させることができ、かつ、入力部９にて入力された評価結果を送信部１１から送信させることができる。
【００５２】
以下、サーバ装置１０及び端末装置２０の動作について、図１〜図３Ｂに基づいて説明する。
【００５３】
サーバ装置１０の判定部２は、計測装置３０からの消費情報が情報取得部１で取得されたとき、この消費情報に基づいて、対象機器５０の動作状況を判定する。制御部６は、判定部２の判定結果及び評価要求を、通知部３から端末装置２０へ通知させる。
【００５４】
端末装置２０の制御部１２は、受信部７でサーバ装置１０からの判定結果及び評価要求が受信されたとき、これら判定結果及び評価要求を表示部８に表示させる。表示部８に表示された評価要求に対して、需要家施設Ｈ１の住人が入力部９にて評価結果を入力したとき、制御部１２は、この評価結果を送信部１１からサーバ装置１０へ送信させる。
【００５５】
サーバ装置１０の制御部６は、端末装置２０からの評価結果が評価取得部４で取得されたとき、この評価結果に基づいて、判定部２と通知部３との少なくとも一方を制御する。これにより、サーバ装置１０では、誤った判定結果を再び通知部３から通知したり、一度誤った判定を再び判定部２が行ったりするのを抑制可能となる。言い換えれば、判定システム１００では、対象機器５０の動作状況の判定精度を向上させることが可能になる。
【００５６】
ところで、評価要求（アンケート情報Ｇ２）には、需要家施設Ｈ１に関連する情報が含まれていることが好ましい。需要家施設Ｈ１に関連する情報とは、例えば、需要家施設Ｈ１の住人にとって役立つ情報（付加価値情報）、いわゆるお役立ち情報を意味する。需要家施設Ｈ１に関連する情報は、例えば天気情報である。天気情報は、需要家施設Ｈ１の地域の過去、現在及び将来のいずれかの天候に関する情報である。本実施形態では、天気情報は、サーバ装置１０によって、例えば天気予報等の情報を提供するサーバ（例えば気象サーバ）から適宜取得される。需要家施設Ｈ１に関連する情報は、アンケート情報Ｇ２が表示部８の画面に表示されるときに、アンケート情報Ｇ２と一緒に表示されてもよいし、住人が評価結果の評価（アンケートの回答）を行った後に、表示部８の画面に表示されてもよい。これにより、サーバ装置１０は、需要家施設Ｈ１の住人に対して、アンケート情報Ｇ２だけでなく、お役立ち情報も提供できるので、アンケート情報Ｇ２だけ提供する場合に比べて、住人にアンケートの回答を行ってもらい易くなる。
【００５７】
上述の判定システム１００は、本発明の一例に過ぎず、本発明は、上記実施形態に限定されることはなく、上記実施形態以外であっても、本発明に係る技術的思想を逸脱しない範囲であれば、設計等に応じて種々の変更が可能である。以下に、本実施形態の変形例を列挙する。
【００５８】
制御部６は、同一の判定結果について不正解であるとの評価結果が所定回数（例えば３回）連続して評価取得部４で取得された場合、一部の判定結果及び評価要求が通知部３から通知されないように通知部３を制御するように構成されていてもよい。ただし、通知部３から通知されないようにする一部の判定結果及び評価要求は、所定回数連続して不正解であると評価されたときの判定結果及び評価要求と同じ判定結果及び評価要求である。この場合でも、判定システム１００では、判定部２が誤った判定結果を再び行ったときに、制御部６は、再び誤った判定結果を通知部３から通知させないので、対象機器５０の動作状況を誤って通知することを抑制できる。
【００５９】
またこの場合、判定システム１００では、例えば、端末装置２０を所有する需要家施設Ｈ１の住人が表示部８に表示された評価要求に対して間違って評価した場合の評価結果が、制御部６に使用されるのを防止できる。よって、判定システム１００では、判定結果が不正解であるとの１回の評価結果だけで判定結果の正否を判定する場合よりも、対象機器５０の動作状況の判定精度を向上させることができ、このシステムの信頼性をより向上させることが可能になる。
【００６０】
制御部６は、同一の判定結果について正解であるとの評価結果が所定回数（例えば３回）連続して評価取得部４で取得された場合、一部の評価要求が通知部３から通知されないように通知部３を制御するように構成されていてもよい。ただし、通知部３から通知されないようにする一部の評価要求は、所定回数連続して正解であると評価されたときの評価要求と同じ評価要求である。この場合でも、判定システム１００では、判定部２が正しい判定結果を再び行ったときに、制御部６は、同じ評価要求を通知部３から通知させないので、需要家施設Ｈ１の住人に対して、同じアンケートの回答を要求することを抑制できる。
【００６１】
またこの場合も、判定システム１００では、例えば、需要家施設Ｈ１の住人が表示部８に表示された評価要求に対して間違って評価した場合の評価結果が、制御部６に使用されるのを防止できる。よって、判定システム１００では、判定結果が正解であるとの１回の評価結果だけで判定結果の正否を判定する場合よりも、対象機器５０の動作状況の判定精度を向上させることができ、このシステムの信頼性をより向上させることが可能になる。
【００６２】
制御部６は、同一の判定結果について不正解であるとの評価結果が評価取得部４で取得される頻度が規定値以上の場合、一部の判定結果及び評価要求が通知部３から通知されないように通知部３を制御するように構成されていてもよい。ただし、通知部３から通知されないようにする一部の判定結果及び評価要求は、規定値以上の頻度で不正解であると評価されたときの判定結果及び評価要求と同じ判定結果及び評価要求である。同一の判定結果について不正解であるとの評価結果が評価取得部４で取得される頻度とは、例えば、所定数の評価結果のうち評価結果が不正解となる回数の割合を意味する。例えば、制御部６は、評価結果が不正解となる回数が１０回のうち８回である場合、不正解であると８回評価されたときの判定結果及び評価要求が、通知部３から通知されないように通知部３を制御する。
【００６３】
この場合でも、判定システム１００では、判定部２が誤った判定結果を再び行ったときに、制御部６は、再び誤った判定結果を通知部３から通知させないので、対象機器５０の動作状況を誤って通知することを抑制できる。またこの場合でも、判定システム１００では、判定結果が不正解であるとの１回の評価結果だけで判定結果の正否を判定する場合よりも、対象機器５０の動作状況の判定精度を向上させることができ、このシステムの信頼性をより向上させることが可能になる。さらにこの場合、判定システム１００では、評価結果が所定回数連続して不正解とならないときであっても、需要家施設Ｈ１の住人が表示部８に表示された評価要求に対して間違って評価した場合の評価結果が、制御部６に使用されるのを防止できる。なお、評価結果が所定回数連続して不正解とならない場合とは、例えば、不正解、正解、不正解という結果になる場合を意味する。
【００６４】
制御部６は、同一の判定結果について正解であるとの評価結果が評価取得部４で取得される頻度が規定値以上の場合、一部の評価要求が通知部３から通知されないように通知部３を制御するように構成されていてもよい。ただし、通知部３から通知されないようにする一部の評価要求は、規定値以上の頻度で正解であると評価されたときの評価要求と同じ評価要求である。同一の判定結果について正解であるとの評価結果が評価取得部４で取得される頻度とは、例えば、所定数の評価結果のうち評価結果が正解となる回数の割合を意味する。例えば、制御部６は、評価結果が正解となる回数が１０回のうち８回である場合、正解であると８回評価されたときの評価要求が、通知部３から通知されないように通知部３を制御する。
【００６５】
この場合でも、判定システム１００では、判定部２が正しい判定結果を再び行ったときに、制御部６は、同じ評価要求を通知部３から通知させないので、需要家施設Ｈ１の住人に対して、同じアンケートの回答を要求することを抑制できる。またこの場合、判定システム１００では、判定結果が正解であるとの１回の評価結果だけで判定結果の正否を判定する場合よりも、対象機器５０の動作状況の判定精度を向上させることができ、このシステムの信頼性を向上させることが可能になる。さらにこの場合、判定システム１００では、評価結果が所定回数連続して正解とならないときであっても、需要家施設Ｈ１の住人が表示部８に表示された評価要求に対して間違って評価した場合の評価結果が、制御部６に使用されるのを防止できる。なお、評価結果が所定回数連続して正解とならない場合とは、例えば、正解、不正解、正解という結果になる場合を意味する。
【００６６】
評価取得部４は、判定部２の判定結果に関連する属性情報を取得するように構成されていてもよい。属性情報は、例えば、判定部２が対象機器５０の動作状況を判定したときの時刻（判定時刻）である。つまり、判定部２は、対象機器５０の動作状況を判定したときに、この判定時刻を属性情報として判定結果に付加するように構成されている。この場合、制御部６は、評価結果と属性情報とに基づいて、判定部２と通知部３との少なくとも一方を制御する。例えば洗濯機の動作の終了の判定時刻が夜であり、かつ、評価結果が不正解である場合、制御部６は、再び、洗濯機の動作の終了の判定時刻が夜の時間帯（例えば、２１：００）であるとき、この判定時刻の判定結果及び評価要求を通知部３から通知させないように、通知部３を制御する。これにより、判定システム１００では、端末装置２０からの評価結果に加えて、判定結果に関連する属性情報を用いて対象機器５０の動作状況を判定することができるので、対象機器５０の動作状況の判定精度をより向上させることが可能になる。
【００６７】
また、評価取得部４は、判定部２の判定結果に関連する属性情報（第１属性情報）以外に、端末装置２０からの評価結果に関連する属性情報（第２属性情報）を取得するように構成されていてもよい。第２属性情報は、例えば、端末装置２０に付加されたＩＤ情報等である。ＩＤ情報とは、端末装置２０の所有者を識別可能な情報である。さらに、評価取得部４は、第１属性情報と第２属性情報との両方を取得するように構成されていてもよい。つまり、評価取得部４は、判定部２の判定結果と、端末装置２０からの評価結果との少なくとも一方に関連する属性情報を取得するように構成されていてもよい。
【００６８】
以上説明したように、本実施形態の判定システム１００は、需要家施設Ｈ１における資源の消費量に関する消費情報を取得する情報取得部１と、消費情報に基づいて需要家施設Ｈ１における対象機器５０の動作状況を判定する判定部２とを備えている。また、判定システム１００は、判定部２の判定結果、及び判定結果に対する評価の要求を通知する通知部３と、上記要求に対する評価結果を取得する評価取得部４と、評価結果に基づいて判定部２と通知部３との少なくとも一方を制御する制御部６とを備えている。
【００６９】
この構成によれば、情報取得部１で取得された消費情報に基づいて対象機器５０の動作状況を判定するので、需要家施設Ｈ１における資源の消費量に関する消費情報を、より有効に活用できる。また、この構成によれば、誤った判定結果を再び通知部３から通知したり、一度誤った判定を再び判定部２が行ったりするのを抑制可能となり、対象機器５０の動作状況の判定精度を向上させることが可能になる。
【００７０】
上記要求には、上述のように、判定結果が正解であると評価するための第１選択肢Ａ１と、判定結果が不正解であると評価するための第２選択肢Ａ２とが含まれていることが好ましい。
【００７１】
この構成によれば、例えば端末装置２０を所有する需要家施設Ｈ１の住人は、判定結果の評価を行うとき、表示部８の画面に表示される複数の選択肢（第１選択肢Ａ１及び第２選択肢Ａ２）のうち１つの選択肢を選ぶだけでよい。そのため、住人は、判定結果の評価を手軽に行うことができる。
【００７２】
上記要求には、上述のように、判定結果が不明であると評価するための第３選択肢Ａ３が、更に含まれていることが好ましい。
【００７３】
この構成によれば、制御部６は、評価結果が不明である場合に判定部２及び通知部３の制御を停止すれば、該当する選択肢がなくて住人が適当に評価する場合の評価結果を使用するのを防止できる。これにより、制御部６は、判定部２及び通知部３の制御を誤って行うことを抑制できる。ただし、この構成は、判定システム１００の必須の構成ではなく、適宜省略可能である。
【００７４】
上記要求には、上述のように、通知部３の通知のタイミングに対する評価を行うための選択肢（第４選択肢）Ａ４が、更に含まれていることが好ましい。
【００７５】
この構成によれば、制御部６は、通知部３からの通知のタイミングが遅いか否かを判定することが可能になる。これにより、制御部６は、通知部３からの通知のタイミングを補正することができる。
【００７６】
制御部６は、上述のように、判定結果が不正解であるとの評価結果が取得された場合、不正解であると評価されたときの判定結果及び要求と同じ判定結果及び要求が、通知部３から通知されないように通知部３を制御することが好ましい。
【００７７】
この構成によれば、判定部２が一度誤った判定を再び行った場合でも、制御部６は、再び誤った判定結果を通知部３から通知させないので、需要家施設Ｈ１の住人に対して、対象機器５０の動作状況を誤って通知することを抑制できる。よって、この構成であれば、対象機器５０の動作状況の判定精度をより向上させることが可能となり、判定システム１００の信頼性を向上させることが可能になる。
【００７８】
制御部６は、同一の判定結果について不正解であるとの評価結果が所定回数連続して取得された場合、所定回数連続して不正解であると評価されたときの判定結果及び要求と同じ判定結果及び要求が、通知部３から通知されないように通知部３を制御することが好ましい。
【００７９】
この構成であっても、判定部２が誤った判定結果を再び行ったときに、制御部６は、再び誤った判定結果を通知部３から通知させないので、対象機器５０の動作状況を誤って通知することを抑制できる。また、この構成によれば、端末装置２０を所有する需要家施設Ｈ１の住人が表示部８に表示された評価要求に対して間違って評価した場合の評価結果が、制御部６に使用されるのを防止できる。よって、この構成であれば、判定結果が不正解であるとの１回の評価結果だけで判定結果の正否を判定する場合よりも、対象機器５０の動作状況の判定精度を向上させることができ、判定システム１００の信頼性をより向上させることが可能になる。
【００８０】
制御部６は、同一の判定結果について不正解であるとの評価結果が取得される頻度が規定値以上の場合、規定値以上の頻度で不正解であると評価されたときの判定結果及び要求と同じ判定結果及び要求が、通知部３から通知されないように通知部３を制御することが好ましい。
【００８１】
この構成であっても、判定部２が誤った判定結果を再び行ったときに、制御部６は、再び誤った判定結果を通知部３から通知させないので、対象機器５０の動作状況を誤って通知することを抑制できる。また、この構成によれば、判定結果が不正解であるとの１回の評価結果だけで判定結果の正否を判定する場合よりも、対象機器５０の動作状況の判定精度を向上させることができ、判定システム１００の信頼性をより向上させることが可能になる。さらに、この構成によれば、評価結果が所定回数連続して不正解とならないときであっても、需要家施設Ｈ１の住人が表示部８に表示された評価要求に対して間違って評価した場合の評価結果が、制御部６に使用されるのを防止できる。
【００８２】
制御部６は、上述のように、判定結果が正解であるとの評価結果が取得された場合、正解であると評価されたときの要求と同じ要求が、通知部３から通知されないように通知部３を制御することが好ましい。
【００８３】
この構成によれば、判定部２が一度正しかった判定（判定結果）を再び行った場合、制御部６は、同じ評価要求を通知部３から通知させないので、需要家施設Ｈ１の住人に対して、同じアンケートの回答を要求することを抑制できる。その結果、判定システム１００では、何度も同じアンケートの回答を要求する場合に比べて、住人にアンケートの回答を行ってもらい易くなる。
【００８４】
制御部６は、同一の判定結果について正解であるとの評価結果が所定回数連続して取得された場合、所定回数連続して正解であると評価されたときの要求と同じ要求が、通知部３から通知されないように通知部３を制御することが好ましい。
【００８５】
この構成であっても、判定部２が正しい判定結果を再び行ったときに、制御部６は、同じ評価要求を通知部３から通知させないので、需要家施設Ｈ１の住人に対して、同じアンケートの回答を要求することを抑制できる。また、この構成によれば、需要家施設Ｈ１の住人が表示部８に表示された評価要求に対して間違って評価した場合の評価結果が、制御部６に使用されるのを防止できる。よって、この構成であれば、判定結果が正解であるとの１回の評価結果だけで判定結果の正否を判定する場合よりも、対象機器５０の動作状況の判定精度を向上させることができ、判定システム１００の信頼性をより向上させることが可能になる。
【００８６】
制御部６は、同一の判定結果について正解であるとの評価結果が取得される頻度が規定値以上の場合、規定値以上の頻度で正解であると評価されたときの要求と同じ要求が、通知部３から通知されないように通知部３を制御することが好ましい。
【００８７】
この構成であっても、判定部２が正しい判定結果を再び行ったときに、制御部６は、同じ評価要求を通知部３から通知させないので、需要家施設Ｈ１の住人に対して、同じアンケートの回答を要求することを抑制できる。また、この構成によれば、判定結果が正解であるとの１回の評価結果だけで判定結果の正否を判定する場合よりも、対象機器５０の動作状況の判定精度を向上させることができ、判定システム１００の信頼性をより向上させることが可能になる。さらに、この構成によれば、評価結果が所定回数連続して正解とならないときであっても、需要家施設Ｈ１の住人が表示部８に表示された評価要求に対して間違って評価した場合の評価結果が、制御部６に使用されるのを防止できる。
【００８８】
評価取得部４は、判定結果と評価結果との少なくとも一方に関連する属性情報を取得するように構成されていることが好ましい。この場合、制御部６は、評価結果と属性情報とに基づいて、判定部２と通知部３との少なくとも一方を制御することが好ましい。
【００８９】
この構成によれば、端末装置２０からの評価結果に加えて、判定結果に関連する属性情報（例えば判定時刻やＩＤ情報）を用いて対象機器５０の動作状況を判定することができるので、対象機器５０の動作状況の判定精度をより向上させることが可能になる。
【００９０】
上記要求には、需要家施設Ｈ１に関連する情報が含まれていることが好ましい。
【００９１】
この構成によれば、判定システム１００は、需要家施設Ｈ１の住人に対して、アンケート情報Ｇ２だけでなく、お役立ち情報も提供できる。よって、この構成によれば、アンケート情報Ｇ２だけ提供する場合に比べて、住人にアンケートの回答を行ってもらい易くなる。
【００９２】
以上説明したように、本実施形態の判定方法は、需要家施設Ｈ１における資源の消費量に関する消費情報を取得させる処理と、消費情報に基づいて需要家施設Ｈ１における対象機器５０の動作状況を判定させる処理と、上記動作状況の判定結果、及び判定結果に対する評価の要求を通知させる処理と、上記要求に対する評価結果を取得させる処理と、評価結果に基づいて動作させる処理とをコンピュータに行わせる。
【００９３】
この構成によれば、消費情報に基づいて対象機器５０の動作状況を判定するので、需要家施設Ｈ１における資源の消費量に関する消費情報を、より有効に活用できる。また、この構成によれば、誤った判定結果を再び通知部３から通知したり、一度誤った判定を再び判定部２が行ったりするのを抑制可能となり、対象機器５０の動作状況の判定精度を向上させることが可能になる。
【００９４】
以上説明したように、本実施形態の判定プログラムは、上述の判定方法を、上記コンピュータに実行させる。
【００９５】
この構成によっても、消費情報に基づいて対象機器５０の動作状況を判定するので、需要家施設Ｈ１における資源の消費量に関する消費情報を、より有効に活用できる。また、この構成によっても、誤った判定結果を再び通知部３から通知したり、一度誤った判定を再び判定部２が行ったりするのを抑制可能となり、対象機器５０の動作状況の判定精度を向上させることが可能になる。
【００９６】
以上説明したように、本実施形態の端末装置２０は、判定システム１００に用いられる端末装置である。端末装置２０は、通知部３からの判定結果及び上記要求を受信する受信部７と、受信部７で受信された判定結果及び上記要求を表示する表示部８とを備えている。また、端末装置２０は、ユーザによる評価結果の入力を受け付ける入力部９と、入力部９にて入力された評価結果を評価取得部４へ送信する送信部１１とを備えている。
【００９７】
この構成によれば、表示部８に判定結果及び評価要求を表示させることができ、かつ、入力部９にて入力された評価結果を送信部１１から送信させることができる。
【００９８】
以上説明したように、本実施形態の制御方法は、端末装置２０に用いられる制御方法である。この制御方法は、受信部７に通知部３からの判定結果及び上記要求を受信させる処理と、表示部８に判定結果及び上記要求を表示させる処理と、ユーザによる評価結果の入力を受け付ける処理と、送信部１１に評価結果を評価取得部４へ送信させる処理とを有する。
【００９９】
この構成によっても、表示部８に判定結果及び評価要求を表示させることができ、かつ、入力部９にて入力された評価結果を送信部１１から送信させることができる。
【０１００】
以上説明したように、本実施形態の制御プログラムは、上述の制御方法を、コンピュータに実行させる。
【０１０１】
この構成によっても、表示部８に判定結果及び評価要求を表示させることができ、かつ、入力部９にて入力された評価結果を送信部１１から送信させることができる。
【０１０２】
なお、判定システム１００は、サーバ装置１０で実現されているが、これに限らず、例えば、サーバ装置１０と端末装置２０とで実現されてもよい。また、判定システム１００は、サーバ装置１０と計測装置３０とで実現されてもよい。さらに、判定システム１００は、サーバ装置１０と端末装置２０と計測装置３０とで実現されてもよい。つまり、判定システム１００は、サーバ装置１０、端末装置２０及び計測装置３０の様々な組み合わせによって実現されてもよく、１つの装置に限らず複数の装置によって実現されてもよい。また、判定システム１００は、クラウド（クラウドコンピューティング）で実現されてもよい。
【０１０３】
サーバ装置１０は、計測装置３０で計測された消費量に関する消費情報を一定期間分（例えば１ヶ月分）蓄積するように構成されていてもよい。この場合、判定部２は、蓄積した消費情報に基づいて対象機器５０の動作状況を判定する。
【０１０４】
通知部３は、判定結果と評価要求とを同時に通知するように構成されているが、この構成に限らない。例えば、通知部３は、判定結果を通知した後に、評価要求を通知するように構成されていてもよい。
【０１０５】
評価取得部４は、取得した評価結果を記録部５に記録するように構成されているが、この構成に限らない。評価取得部４は、取得した評価結果を記録部５に記録せず、この評価結果を制御部６へ出力するように構成されていてもよい。
【０１０６】
制御部６は、記録部５からの評価結果に基づいて、通知部３を制御するように構成されているが、この構成に限らない。制御部６は、記録部５からの評価結果に基づいて、判定部２を制御するように構成されていてもよい。例えば、制御部６は、端末装置２０からの評価結果が不正解である場合、判定部２が再び同じ判定を行わないように、判定部２を制御する。つまり、制御部６は、判定部２の判定結果が不正解であれば、判定部２における所定のアルゴリズムを補正して、判定部２が再び同じ判定を行わないようにする。この場合、判定システム１００では、判定部２が情報取得部１で取得された消費情報に基づいて対象機器５０の動作状況を、再び誤って判定することを抑制できる。
【０１０７】
また、制御部６は、記録部５からの評価結果に基づいて、判定部２及び通知部３を制御するように構成されていてもよい。つまり、制御部６は、記録部５からの評価結果に基づいて、判定部２と通知部３との少なくとも一方を制御するように構成されていてもよい。
【０１０８】
端末装置２０は、スマートフォンに限らず、タブレット端末等のスマートフォン以外の携帯情報端末、あるいはパーソナルコンピュータ、通信機能を有するテレビ（テレビジョン）等のネットワークＮ１に接続可能な情報端末装置であってもよい。
【０１０９】
表示部８及び入力部９は、タッチパネルディスプレイを構成しているが、これに限らない。表示部８がディスプレイ（例えば、液晶ディスプレイ等）を構成し、入力部９が入力装置（例えば、キーボード、ポインティングデバイス、又はメカニカルなスイッチ等）を構成していてもよい。
【０１１０】
制御部１２は、受信部７で判定結果及び評価要求が受信されたとき、判定情報Ｇ１とアンケート情報Ｇ２とを表示部８の画面に同時に表示させてもよい。つまり、制御部１２は、受信部７で判定結果及び評価要求が受信されたとき、判定情報Ｇ１とアンケート情報Ｇ２とを表示部８の同一の画面に表示させてもよい。
【０１１１】
対象機器５０は、電力を生成する自家発電設備等の機器又は温度センサ等のセンサ機器を含む。
【０１１２】
本実施形態では、需要家施設Ｈ１に関連する情報は、天気情報であるが、これに限らない。需要家施設Ｈ１に関連する情報は、例えば、電気料金であってもよいし、電力規制情報であってもよい。
【０１１３】
また、本実施形態では、戸建住宅を需要家施設Ｈ１の一例として説明しているが、この例に限らず、需要家施設Ｈ１は、集合住宅の各住戸などの戸建住宅以外の住宅、あるいは事務所、店舗等の非住宅であってもよい。
【０１１４】
また、本実施形態では、サーバ装置１０及び計測装置３０間の通信経路（第１通信経路）と、サーバ装置１０及び端末装置２０間の通信経路（第２通信経路）とが、共通のネットワークＮ１によって構成されているが、この構成に限らない。第１通信経路と第２通信経路とは、別々のネットワークによって構成されていてもよい。
【０１１５】
また、本実施形態では、需要家施設Ｈ１における資源の消費量は、複数の分岐回路の少なくとも１つの消費電力又は消費電力量であるが、これに限らない。需要家施設Ｈ１における資源の消費量は、分電盤の主幹ブレーカの一次側の幹線の消費電力又は消費電力量、つまり需要家施設Ｈ１全体での総消費電力量であってもよい。
【０１１６】
また、本実施形態では、端末装置２０の表示部８に表示される情報（判定情報Ｇ１及びアンケート情報Ｇ２）は、サーバ装置１０で生成されているが、これに限らない。端末装置２０の表示部８に表示される情報は、例えば、端末装置２０で生成されてもよいし、サーバ装置１０及び端末装置２０以外の装置（外部装置）で生成されてもよい。
【０１１７】
第１選択肢Ａ１には、「正解」というテキスト情報が含まれているが、例えば「洗濯が終わってすぐにお知らせが届きました」というテキスト情報が含まれていてもよい。また、第２選択肢Ａ２には、「間違い」というテキスト情報が含まれているが、例えば「洗濯していないのに、お知らせが届きました」というテキスト情報が含まれていてもよい。また、第３選択肢Ａ３には、「不明」というテキスト情報が含まれているが、例えば「わかりません」というテキスト情報が含まれていてもよい。また、第４選択肢Ａ４には、「タイミングが遅い」というテキスト情報が含まれているが、「タイミングが早い」というテキスト情報が含まれていてもよい。この場合、第４選択肢Ａ４には、「洗濯中なのに、お知らせが届きました」というテキスト情報が含まれていてもよい。また、評価要求には、第４選択肢Ａ４として「タイミングが遅い」というテキスト情報が含まれ、第５選択肢として「タイミングが早い」というテキスト情報が含まれていてもよい。
【０１１８】
また、本実施形態では、洗濯機の動作の終了の通知について説明しているが、これに限らず、例えば洗濯機の動作の開始の通知であってもよいし、洗濯機の動作（運転）開始忘れの通知であってもよい。ここで、洗濯機の動作開始忘れの通知とは、設定時刻に洗濯機が動作しているか否かを需要家施設Ｈ１の住人に判断してもらうための通知を意味する。この場合、判定情報Ｇ１には、例えば「洗濯機を動かし忘れていませんか？」というテキスト情報を含む。またこの場合、第１選択肢Ａ１には、例えば「お知らせのあった時刻に洗濯していませんでした」というテキスト情報が含まれる。第２選択肢Ａ２には、例えば「すでに洗濯していたのに、お知らせが届きました」というテキスト情報が含まれる。第３選択肢Ａ３には、例えば「わかりません」というテキスト情報が含まれる。
【０１１９】
また、本実施形態では、洗濯機以外に、炊飯器又は食器洗浄機等の動作開始忘れの通知であってもよい。例えば、炊飯器の動作開始忘れの通知である場合、第１選択肢Ａ１には、例えば「お知らせのあった時刻にご飯を炊いていませんでした」というテキスト情報が含まれる。第２選択肢Ａ２には、例えば「すでにご飯を炊いていたのに、お知らせが届きました」というテキスト情報が含まれる。第３選択肢Ａ３には、例えば「わかりません」というテキスト情報が含まれる。また、食器洗浄機の動作開始忘れの通知である場合、第１選択肢Ａ１には、例えば「お知らせのあった時刻に食器洗浄機を使っていませんでした」というテキスト情報が含まれる。第２選択肢Ａ２には、例えば「すでに食器洗浄機は動作していたのに、お知らせが届きました」というテキスト情報が含まれる。第３選択肢Ａ３には、例えば「わかりません」というテキスト情報が含まれる。
【符号の説明】
【０１２０】
１  情報取得部
２  判定部
３  通知部
４  評価取得部
６  制御部
７  受信部
８  表示部
９  入力部
１１  送信部
２０  端末装置
５０  対象機器
１００  判定システム
Ａ１  第１選択肢
Ａ２  第２選択肢
Ａ３  第３選択肢
Ａ４  第４選択肢（通知のタイミングに対する評価の選択肢）
Ｈ１  需要家施設
【図１】
0006675092.tif 000002
【図２】
0006675092.tif 000003
【図３】
0006675092.tif 000004